(57)【特許請求の範囲】
【請求項１】
貨幣を入金または出金することが可能な貨幣管理装置であって、
本体と、
貨幣を収納する複数の保管部を有し、複数段重ねて設けられた収納庫と、
貨幣が前記保管部に収納された時点からの保管期間を計時するタイマと、
前記本体に設けられ、前記各保管部に収納された貨幣の前記保管期間、または、前記保管期間の上限を示す上限期間から前記保管期間を引いた残り期間を表示する表示部とを備えた貨幣管理装置。
【請求項２】
前記保管期間の上限を示す上限期間を記憶する記憶部と、
前記保管期間と前記上限期間とを比較する制御部とをさらに備え、
前記表示部は、前記保管期間が前記上限期間を超過したときに、前記保管期間が前記上限期間を過ぎたこと、あるいは、前記残り期間がゼロになったことを示す警告を表示することを特徴とする請求項１に記載の貨幣管理装置。
【請求項３】
前記保管期間の上限を示す上限期間よりも所定期間だけ短い注意期間を記憶する記憶部と、
前記保管期間と前記注意期間とを比較する制御部とをさらに備え、
前記表示部は、前記保管期間が前記注意期間を超過したときに、前記保管期間が前記注意期間を過ぎたことを示す警告を表示することを特徴とする請求項１または請求項２に記載の貨幣管理装置。
【請求項４】
当該貨幣管理装置の操作許可者のＩＤ情報を読み取るカードリーダをさらに備え、
前記保管部は、１束１００枚の束紙幣を１０束ごとに束ねた大束紙幣を収納し、
前記記憶部は、当該貨幣管理装置の操作許可者のＩＤ情報を記憶し、
或る大束紙幣の前記保管期間が前記上限期間を超過した場合に、前記カードリーダは、該大束紙幣の帯封を巻き直して作成された新しい大束紙幣を再度前記保管部へ収納する複数の操作者のＩＤ情報を読み取り、
前記制御部は、前記記憶部に記憶された前記操作許可者のＩＤ情報の中に、前記カードリーダによって読み取った前記複数の操作者のＩＤ情報がある場合に、前記大束紙幣を前記保管部へ収納することを許可することを特徴とする請求項２または請求項３に記載の貨幣管理装置。
【請求項５】
前記保管部に収納された貨幣の量を測定し、該保管部に貨幣が収納されたことを検知する測定部をさらに備え、
前記タイマは、前記測定部が前記保管部に貨幣が収納されたことを検知したときに前記保管期間の計時を開始することを特徴とする請求項１から請求項４のいずれかに記載の貨幣管理装置。
【請求項６】
前記保管部は、１束１００枚の束紙幣を１０束ごとに束ねた大束紙幣を収納し、
前記表示部は、少なくとも前記大束紙幣の前記保管期間または前記残り期間を表示することを特徴とする請求項１から請求項５のいずれかに記載の貨幣管理装置。
【請求項７】
前記表示部は、前記保管期間の長い順番に前記保管部および前記保管期間または前記残り期間を表示することを特徴とする請求項１から請求項６のいずれかに記載の貨幣管理装置。
【請求項８】
前記制御部は、前記記憶部に記憶された前記操作許可者のＩＤ情報の中に、前記カードリーダによって読み取った前記複数の操作者のＩＤ情報のいずれかが無い場合に、前記大束紙幣を前記保管部へ収納することを許可せず、
前記表示部は、前記カードリーダによって読み取った前記複数の操作者のいずれかが前記操作許可者でないことを通知することを特徴とする請求項４に記載の貨幣管理装置。
【発明の詳細な説明】
【技術分野】
【０００１】
本発明は、貨幣管理装置および貨幣管理システムに関する。
【背景技術】
【０００２】
銀行等の金融機関の店舗には、その店舗内の貨幣の入金および出金を管理する出納機が設けられている。また、金融機関内には出納機と連携する貨幣管理装置が設けられている場合がある。
【０００３】
出納機において貨幣を出し入れする際に出納機に充分な貨幣が収納されていない場合や出納機に貨幣を収納することができない場合に、貨幣管理装置から出納機に貨幣を補充し、あるいは、出納機から貨幣管理装置へ貨幣を回収する。
【０００４】
このような貨幣管理システムにおいて、出納機および貨幣管理装置は、相互に通信可能に接続されており、貨幣管理装置内の貨幣在高を出納機において管理することができるように構成されている。出納機内の貨幣在高と貨幣管理装置内の貨幣在高との管理を連動させることにより、貨幣管理システムは、金融機関内の在高管理を安全に且つ総合的に行うことができる。
【先行技術文献】
【特許文献】
【０００５】
【特許文献１】特開２００２−２４８９６号公報
【特許文献２】特開２００３−２５６９０４号公報
【発明の開示】
【発明が解決しようとする課題】
【０００６】
従来から貨幣管理装置は、小束紙幣（紙幣１００枚の束）または大束紙幣（小束紙幣１０束の束）を収納している。大束紙幣は、小束紙幣が不足しているときに使用されるため、小束紙幣に比較して使用頻度が低い。従って、貨幣管理装置に大束紙幣を収納した場合、大束紙幣は、長期間そのままの状態で保管される場合がある。このような場合、誰かが大束紙幣から紙幣を数枚抜き取るような不正を行っても、その不正の発覚が大幅に遅れる可能性があり、セキュリティ上好ましくない。大束紙幣を長期間保管することを防止するために、各金融機関では、大束紙幣については所定期間（例えば、２週間）以内に束を開封しなければいけない、といった規定が設けられている。
【０００７】
しかしながら、このような規定の運用は、従来、各行員に任せられていたため、セキュリティ上好ましくなく、厳正な管理ができていなかった。また、行員は各大束紙幣について保管期間を管理しなければならず、従って、行員の負担が大きかった。
【０００８】
もし、保管期限が過ぎた場合、行員は、保管期限の過ぎた大束紙幣を一旦開封し、紙幣を計数し直してから再度帯封を巻き直さなければならない。このように、保管期限が過ぎた場合には、行員は、煩雑な作業を行う必要がある。
【０００９】
本願発明は、上述の問題に鑑みてなされたものであり、行員の作業負担を軽減し、かつ、束紙幣を厳正かつ容易に管理することができる貨幣管理装置および貨幣管理システムを提供することを目的とする。
【課題を解決するための手段】
【００１０】
本発明に係る実施形態に従った貨幣管理装置は、貨幣を入金または出金することが可能な貨幣管理装置であって、本体と、貨幣を収納する複数の保管部を有し、複数段重ねて設けられた収納庫と、貨幣が前記保管部に収納された時点からの保管期間を計時するタイマと、前記本体に設けられ、前記各保管部に収納された貨幣の前記保管期間、または、前記保管期間の上限を示す上限期間から前記保管期間を引いた残り期間を表示する表示部とを備えている。
【００１１】
前記貨幣管理装置は、前記保管期間の上限を示す上限期間を記憶する記憶部と、前記保管期間と前記上限期間とを比較する制御部とをさらに備え、前記表示部は、前記保管期間が前記上限期間を超過したときに、前記保管期間が前記上限期間を過ぎたこと、あるいは、前記残り期間がゼロになったことを示す警告を表示するように構成してもよい。
【００１２】
前記貨幣管理装置は、前記保管期間の上限を示す上限期間よりも所定期間だけ短い注意期間を記憶する記憶部と、前記保管期間と前記注意期間とを比較する制御部とをさらに備え、前記表示部は、前記保管期間が前記注意期間を超過したときに、前記保管期間が前記注意期間を過ぎたことを示す警告を表示するように構成してもよい。
【００１３】
前記貨幣管理装置は、当該貨幣管理装置の操作許可者のＩＤ情報を読み取るカードリーダをさらに備え、前記保管部は、１束１００枚の束紙幣を１０束ごとに束ねた大束紙幣を収納し、前記記憶部は、当該貨幣管理装置の操作許可者のＩＤ情報を記憶し、或る大束紙幣の前記保管期間が前記上限期間を超過した場合に、前記カードリーダは、該大束紙幣の帯封を巻き直して作成された新しい大束紙幣を再度前記保管部へ収納する複数の操作者のＩＤ情報を読み取り、前記制御部は、前記記憶部に記憶された前記操作許可者のＩＤ情報の中に、前記カードリーダによって読み取った前記複数の操作者のＩＤ情報がある場合に、前記大束紙幣を前記保管部へ収納することを許可してもよい。
【００１４】
前記貨幣管理装置は、前記保管部に収納された貨幣の量を測定し、該保管部に貨幣が収納されたことを検知する測定部をさらに備え、前記タイマは、前記測定部が前記保管部に貨幣が収納されたことを検知したときに前記保管期間の計時を開始するように構成してもよい。
【００１５】
前記保管部は、１束１００枚の束紙幣を１０束ごとに束ねた大束紙幣を収納し、前記表示部は、少なくとも前記大束紙幣の前記保管期間または前記残り期間を表示するように構成してもよい。
【００１６】
前記表示部は、前記保管期間の長い順番に前記保管部および前記保管期間または前記残り期間を表示するように構成してもよい。
【００１７】
前記制御部は、前記記憶部に記憶された前記操作許可者のＩＤ情報の中に、前記カードリーダによって読み取った前記複数の操作者のＩＤ情報のいずれかが無い場合に、前記大束紙幣を前記保管部へ収納することを許可せず、前記表示部は、前記カードリーダによって読み取った前記複数の操作者のいずれかが前記操作許可者でないことを通知するように構成してもよい。
【００１８】
本発明に係る実施形態に従った貨幣管理システムは、金融機関の店舗内に設置され、貨幣を収納する第１の貨幣管理装置と、前記金融機関の店舗内において前記第１の貨幣管理装置と通信可能に接続され、貨幣を収納する第２の貨幣管理装置とを備え、前記第１の貨幣管理装置は、貨幣を収納する第１の収納庫と、貨幣が前記第１の収納庫に収納された時点からの第１の保管期間を計時する第１のタイマと、前記第１の保管期間、または、前記第１の保管期間の上限を示す上限期間から前記第１の保管期間を引いた第１の残り期間を表示する表示部とを備え、前記第２の貨幣管理装置は、貨幣を収納する第２の収納庫と、貨幣が前記第２の収納庫に収納された時点からの第２の保管期間を計時する第２のタイマと、前記第２の保管期間、または、前記第２の保管期間の上限を示す上限期間から前記第２の保管期間を引いた第２の残り期間を前記第１の貨幣管理装置に送信する送信部を備え、前記第１の貨幣管理装置の表示部は、前記第１の保管期間または前記第１の残り期間とともに前記第２の保管期間または前記第２の残り期間を表示する。
【００１９】
前記第１の貨幣管理装置は、前記第１の収納庫に収納された貨幣の量を測定し、該第１の収納庫に貨幣が収納されたことを検知する第１の測定部をさらに備え、前記第２の貨幣管理装置は、前記第２の収納庫に収納された貨幣の量を測定し、該第２の収納庫に貨幣が収納されたことを検知する第２の測定部をさらに備え、前記第１のタイマは、前記第１の測定部が前記第１の収納庫に貨幣が収納されたことを検知したときに前記第１の保管期間の計時を開始し、前記第２のタイマは、前記第２の測定部が前記第２の収納庫に貨幣が収納されたことを検知したときに前記第２の保管期間の計時を開始するように構成してもよい。
【００２０】
前記第１の収納庫および前記第２の収納庫は、それぞれ複数設けられており、前記第１のタイマは、各前記第１の収納庫ごとに前記第１の保管期間を計時し、前記第２のタイマは、各前記第２の収納庫ごとに前記第２の保管期間を計時し、前記第１の貨幣管理装置の表示部は、前記第１および前記第２の貨幣管理装置のそれぞれにおいて、前記保管期間の長い順番に前記収納庫および前記保管期間または前記残り期間を表示するように構成してもよい。
【発明の効果】
【００２１】
本発明による貨幣管理装置および貨幣管理システムは、行員の作業負担を軽減し、かつ、束紙幣を厳正かつ容易に管理することができる。
【図面の簡単な説明】
【００２２】
【図１】本発明の第１の実施形態を示すシステム概略図である。
【図２】出納機の外観を示す斜視図である。
【図３】出納機の構成を示すブロック図である。
【図４】第１の貨幣管理装置２００Ａの外観を示す斜視図である。
【図５】第１の貨幣管理装置２００Ａの第２紙幣収納ドロアの斜視図である。
【図６】第１の貨幣管理装置２００Ａの第２硬貨収納ドロアの斜視図である。
【図７】第１の貨幣管理装置２００Ａの予備収納庫の斜視図である。
【図８】第１の貨幣管理装置２００Ａの制御部２２５の構成を示すブロック図である。
【図９】出納機１００の側での入出金操作準備プロセスの一例のフローチャート。
【図１０】貨幣管理装置２００Ａ、２００Ｂにおける入出金操作プロセスのフロー図。
【図１１】本実施形態による貨幣管理システム及び貨幣管理方法による貨幣在高管理の全体像を模式的に表した説明図。
【図１２】第１の実施形態による貨幣管理装置２００Ａにおける大束紙幣の管理動作を示すフロー図。
【図１３】第１の実施形態による貨幣管理装置２００Ａにおける大束紙幣の他の管理動作を示すフロー図。
【図１４】第１の実施形態による貨幣管理装置２００Ａにおける大束紙幣のさらに他の管理動作を示すフロー図。
【図１５】貨幣管理装置２００Ａの表示部２２７に表示される残り期間の管理画面を示す図。
【図１６】二者承認における貨幣管理装置２００Ａの動作を示すフロー図。
【図１７】第２の実施形態による貨幣管理システム３００における大束紙幣の管理動作を示すフロー図。
【図１８】第２の実施形態による貨幣管理システム３００における大束紙幣の他の管理動作を示すフロー図。
【図１９】第２の実施形態による貨幣管理システム３００における大束紙幣のさらに他の管理動作を示すフロー図。
【図２０】第１の貨幣管理装置２００Ａの表示部２２７に表示される第２の残り期間の管理画面を示す図。
【発明を実施するための最良の形態】
【００２３】
以下、図面を参照して本発明に係る実施形態を説明する。本実施形態は、本発明を限定するものではない。
【００２４】
（第１の実施形態）
図１は、本発明の第１の実施形態を示すシステム概略図である。貨幣管理システム３００は、銀行等の金融機関の店舗内に設置されており、出納機１００、第１の貨幣管理装置２００Ａ、および、第２の貨幣管理装置２００Ｂを備えている。出納機１００が、貨幣管理本体機として機能し、貨幣管理装置２００Ａ、２００Ｂが、貨幣管理端末機として機能するように構成されている。出納機１００および貨幣管理装置２００Ａ、２００Ｂは、それぞれ、上位の貨幣管理装置及び下位の貨幣管理装置として理解されてもよい。
【００２５】
出納機１００および貨幣管理装置２００Ａ、２００Ｂは、それぞれ貨幣を収納することができるように構成されている。出納機１００は、第１および第２の貨幣管理装置２００Ａ、２００Ｂ内の貨幣在高を含めた店舗内の貨幣在高を管理することができるように構成されている。
【００２６】
出納機１００は、第１の貨幣管理装置２００Ａと通信可能に接続されており、第１の貨幣管理装置２００Ａは、第２の貨幣管理装置２００Ｂと通信可能に接続されている。第２の貨幣管理装置２００Ｂは、出納機１００に直接接続されていないが、出納機１００は、第１の貨幣管理装置２００Ａを介して第２の貨幣管理装置２００Ｂの在高管理をすることができるように構成されている。この場合、出納機１００に接続された第１の貨幣管理装置２００Ａが親機として機能し、親機としての第１の貨幣管理装置２００Ａにのみ接続され出納機１００に接続されていない第２の貨幣管理装置２００Ｂが子機として機能する。
【００２７】
第２の貨幣管理装置２００Ｂは、第２の貨幣管理装置２００Ｂに収納されている貨幣の在高を第１の貨幣管理装置２００Ａへ送信する。出納機１００に接続されている第１の貨幣管理装置２００Ａは、第１および第２の貨幣管理装置２００Ａ、２００Ｂの各貨幣在高および第１および第２の貨幣管理装置２００Ａ、２００Ｂに収納されている貨幣の総在高を記憶している。そして、第１の貨幣管理装置２００Ａは、第１および第２の貨幣管理装置２００Ａ、２００Ｂの総在高を出納機１００へ送信する。出納機１００は、第１および第２の貨幣管理装置２００Ａ、２００Ｂに収納されている貨幣の総在高を記憶し管理する。出納機１００は、第１の貨幣管理装置２００Ａにのみ接続されており、かつ、親機である第１の貨幣管理装置２００Ａが第１および第２の貨幣管理装置２００Ａ、２００Ｂの総在高を一括管理しているので、出納機１００は、第１および第２の貨幣管理装置２００Ａ、２００Ｂを１つの貨幣管理装置と見なして管理することができる。これにより、出納機１００の構成および設定を変更すること無く、子機としての第２の貨幣管理装置２００Ｂを増設することが可能となる。
【００２８】
例えば、親機としての第１の貨幣管理装置２００Ａに接続される子機としての貨幣管理装置を２台以上にする。子機としての貨幣管理装置を２００Ｂ、２００Ｃとする。この場合、複数の貨幣管理装置２００Ｂ、２００Ｃがそれぞれの貨幣在高を第１の貨幣管理装置２００Ａに送信する。親機としての第１の貨幣管理装置２００Ａは、複数の貨幣管理装置２００Ｂ、２００Ｃの貨幣在高を記憶し、尚且つ、貨幣管理装置２００Ａ〜２００Ｃの総在高を記憶する。さらに、第１の貨幣管理装置２００Ａは、貨幣管理装置２００Ａ〜２００Ｃの総在高を出納機１００へ送信する。これにより、出納機１００は、第１の貨幣管理装置２００Ａに記憶されている貨幣管理装置２００Ａ〜２００Ｃの総在高を管理することができる。
【００２９】
親機としての第１の貨幣管理装置２００Ａは、第１の貨幣管理装置２００Ａの貨幣在高だけでなく、子機としての貨幣管理装置２００Ｂ、２００Ｃの貨幣在高をも管理する。従って、第１の貨幣管理装置２００Ａは、貨幣管理装置２００Ａ〜２００Ｃの各貨幣在高に応じて、貨幣管理装置２００Ａ〜２００Ｃにおいて出し入れする貨幣の金額または数量の制限を使用者に提示することができる。
【００３０】
このように、出納機１００は、親機としての第１の貨幣管理装置２００Ａに記憶された貨幣管理装置２００Ａ〜２００Ｃの総在高を管理すれば足りるため、出納機１００から見て貨幣管理装置２００Ａ〜２００Ｃは、１つの貨幣管理装置と見なすことができる。
【００３１】
出納機１００は、貨幣管理装置２００Ａ〜２００Ｃの総在高だけでなく、貨幣管理装置２００Ａ〜２００Ｃの各貨幣在高も管理してもよい。これにより、出納機１００は、貨幣管理装置２００Ａ〜２００Ｃの各貨幣在高に応じて、貨幣管理装置２００Ａから２００Ｃにおいて出し入れする貨幣の金額または数量の制限を使用者に提示してもよい。
【００３２】
第１の貨幣管理装置２００Ａおよび第２の貨幣管理装置２００Ｂの親子関係は、出納機１００に通信可能に接続されているか否かによって判断される。例えば、貨幣管理システムを構成する際に、第１の貨幣管理装置２００Ａが出納機１００との通信接続を検知した場合、第１の貨幣管理装置２００Ａは、自己が親機であることを認識する。一方、第２の貨幣管理装置２００Ｂが他の貨幣管理装置２００（ここでは、第１の貨幣管理装置２００Ａ）との通信接続を検知した場合、第２の貨幣管理装置２００Ｂは、自己が子機であると認識する。これにより、複数の貨幣管理装置２００Ａ、２００Ｂの間において、親子関係が成立する。
【００３３】
通信接続される装置の識別は、次のように行えばよい。出納機１００および貨幣管理装置２００Ａ、２００Ｂには、出納機と貨幣管理装置とを識別するための固有の識別ＩＤを予め割り当て、各貨幣管理装置２００Ａ、２００ＢのＲＯＭ２２５ｄまたはハードディスクドライブ２２５ｇ（図８参照）は、識別ＩＤを予め格納している。そして、貨幣管理装置２００Ａが出納機１００または貨幣管理装置２００Ｂに接続されたときに、貨幣管理装置２００Ａは、接続された装置から識別ＩＤを受け取り、その識別ＩＤとＲＯＭ２２５ｄまたはハードディスクドライブ２２５ｇに格納されている識別ＩＤとを比較する。これにより、貨幣管理装置２００Ａ、２００Ｂは、通信接続される装置が出納機または貨幣管理装置のいずれであるかを自動的に認識することができる。
【００３４】
勿論、貨幣管理システム３００の設置者が手作業にて貨幣管理装置２００Ａ、２００Ｂの親子関係を設定してもよい。
【００３５】
上記実施形態において、出納機１００に第１の貨幣管理装置２００Ａを親機として接続し、第１の貨幣管理装置２００Ａが全ての第１および第２の貨幣管理装置２００Ａ、２００Ｂの総在高を出納機１００に送信するようにしている。しかし、出納機１００に対して第１および第２の貨幣管理装置２００Ａ、２００Ｂをそれぞれ接続し、出納機１００が第１および第２の貨幣管理装置２００Ａ、２００Ｂのそれぞれの在高、並びに、第１および第２の貨幣管理装置２００Ａ、２００Ｂの総在高を記憶するようにしても構わない。
【００３６】
図２は、出納機１００の外観を示す斜視図である。図３は、出納機１００の構成を示すブロック図である。
【００３７】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２において、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口、である。
【００３８】
出納機１００は、貨幣以外の有価証券類を投入する貨幣外ボックス１４、出納機１００全体を制御する制御部１５、制御部１５に各種の指示を入力するキーボード式入力部１６、制御部１５による指示に従って印字処理を行う外部プリンタ１８、を備えている。外部プリンタ１８が、レシート発行装置及び／又は認証印字プリンタとして機能するようになっている。本実施形態では、許可者に対して操作情報を提供するために、操作情報に対応する４桁の数字(連携番号)が伝票に印字されるようになっている。
【００３９】
制御部１５は、その一部として、一般行員及び管理者とのインタフェースとしての表示部１５ａと、一般行員及び管理者が所持するＩＤカードの内容を読み取るＩＤカードリーダ１５ｂと、を備えている。表示部１５ａは、タッチパネル式表示装置であてもよい。これにより、表示部１５ａは、入力部または操作部としても機能することができる。また、本実施形態においてはＩＤカードリーダが用いられているが、これに限られず、公知の顔認証端末や、指に流れる静脈を認証するもの等、使用者本人を認証する個人認証情報であれば何を用いても構わない。
【００４０】
図３に示すように、制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、ＲＯＭ１５ｄやハードディスクドライブ１５ｇ内に格納されたプログラムを実行等して出納機１００全体を制御する制御部（ＣＰＵ）１５ｃ、を備えている。
【００４１】
また、出納機１００は、第１の貨幣管理装置２００Ａとの間でデータ通信を行う通信インタフェース（通信ＩＦ）１９をさらに備えている。これにより、出納機１００と第１の貨幣管理装置２００Ａとは、相互に通信可能となっている。例えば、出納機１００と第１の貨幣管理装置２００Ａとは、無線ＬＡＮ、光ＬＡＮ等で通信可能なように接続されている。出納機１００は、インタフェース１９を介して第１の貨幣管理装置２００Ａから第１および第２の貨幣管理装置２００Ａ、２００Ｂの総在高を受け取ることができる。
【００４２】
図４は、第１の貨幣管理装置２００Ａの外観を示す斜視図である。第１の貨幣管理装置２００Ａと第２の貨幣管理装置２００Ｂとは同じ構成を有するので、第１の貨幣管理装置２００Ａの構成のみを説明し、第２の貨幣管理装置２００Ｂの構成についてはその説明を省略する。
【００４３】
第１の貨幣管理装置２００Ａは、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、貨幣以外の有価証券類も投入することができる予備収納ドロア２１５と、を有している。
【００４４】
第１の貨幣管理装置２００Ａは、第１の貨幣管理装置２００Ａの全体を制御する制御部２２５と、制御部２２５に各種の指示を与えるキーボード式入力部２２６と、使用者（営業員及び管理者）とのインタフェースとしての表示部２２７と、収納庫に貨幣を入出金する操作を行う使用者が所持するＩＤカードの内容を読み取るＩＤカードリーダ２２８と、を備えている。
【００４５】
図４では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００４６】
図５は、第１の貨幣管理装置２００Ａの第２紙幣収納ドロア２１２の斜視図である。第２紙幣収納ドロア２１２には紙幣の束が、規則正しく収納保管される。図５では、第２紙幣収納ドロア２１２の内部に、４つの紙幣保管容器（スタッカ）２２１〜２２４が配置されており、各容器ごとに、収納保管される紙幣の金種が決められている。また、１束１００枚の束紙幣を１０束ごとに束ねた大束紙幣が収納保管されるように構成されていてもよい。
【００４７】
図６は、第１の貨幣管理装置２００Ａの第２硬貨収納ドロア２１４の斜視図である。第２硬貨収納ドロア２１４には棒金状態の硬貨が、規則正しく収納保管される。図６では、第２硬貨収納ドロア２１４の内部に、３つの硬貨保管容器２４１〜２４３が配置されており、各容器ごとに、収納保管される硬貨の金種が決められている。
【００４８】
硬貨保管容器２４１の底面には、硬貨保管容器２４１内に収納保管される硬貨の重量を測定するための測定手段として、ロードセル２６１が設けられている。ロードセル２６１の構成の詳細については十分に知られていると思われるので、ここでの説明は省略する。
【００４９】
他の硬貨保管容器２４２、２４３、並びに、紙幣保管容器２２１〜２２４についても、同様にロードセル２６１が設けられている。このような構成によって、各金種ごとに、収納保管されている貨幣の重量が測定されるようになっている。
【００５０】
図７は、予備収納庫（予備ドロア）２１５の斜視図である。予備収納庫２１５には硬貨予備収納部２５１及び紙幣予備収納部２５２の他に、貨幣以外の有価証券類を投入することができる空スペース２５３が設けられている。
【００５１】
図８は、第１の貨幣管理装置２００Ａの制御部２２５の構成を示すブロック図である。制御部２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄまたはハードディスクドライブ２２５ｇ内に格納されたプログラムを実行等して第１の貨幣管理装置２００Ａ全体を制御する制御部２２５ｃ、を備えている。
【００５２】
制御部２２５ｃは、各金種ごとに対応して設けられたロードセル２６１（重量測定手段）に接続されており、ロードセル２６１の出力値に基づいて、収納保管された貨幣の重量に対応する貨幣の金額を算出できるように構成されている。そして、ハードディスクドライブ２２５ｇが、制御部２２５ｃによって算出された貨幣の金額を記憶するように構成されている。
【００５３】
ＩＤカードリーダ２２８が読み取るＩＤ情報も、算出された貨幣の金額（入出金操作後の収納保管金額）と対応させた態様で、ハードディスクドライブ２２５ｇに記憶されるように構成されている。
【００５４】
更に、キーボード式入力部２２６において、収納庫に対して入出金される貨幣の金額が入力されるように構成されており、制御部２２５ｃが、精査手段として、ロードセル２６１の出力値から算出された金額と、キーボード式入力部２２６で入力された金額と、を精査できるように構成されている。
【００５５】
第１の貨幣管理装置２００Ａは、出納機１００との間でデータ通信を行う通信インタフェース（通信ＩＦ）２２９を備えている。これにより、第１の貨幣管理装置２００Ａと出納機１００とは、相互に通信可能となっている。これにより、第１の貨幣管理装置２００Ａは、インタフェース２２９を介して第１および第２の貨幣管理装置２００Ａ、２００Ｂの総在高を出納機１００へ送信することができる。また、第２の貨幣管理装置２００Ｂは、第２の貨幣管理装置２００Ｂのインタフェース２２９を介して第２の貨幣管理装置２００Ｂの在高を第１の貨幣管理装置２００Ａへ送信することができる。
【００５６】
制御部２２５は、ロック制御手段として、各ドロア２１１〜２１５に設けられた開閉電磁ロック２１１ｍ〜２１５ｍに接続されていて、各ドロア２１１〜２１５を、貨幣の入出金が可能な開状態と貨幣の入出金が不可能なロック状態との間で切替えることができるように構成されている。
【００５７】
ドロア２１１〜２１５のロック状態の切替の条件として、使用者照合が採用されている。例えば、予め許可者として設定された使用者のＩＤ情報が、ハードディスクドライブ２２５ｇに記憶されていて、ＩＤカードリーダ２２８が読み取ったＩＤ情報が制御部２２５ｃによって、許可者のＩＤ情報に対して照合される。照合の結果がＹＥＳである場合にのみ、即ち、ＩＤカードリーダ２２８が読み取ったＩＤ情報が、予め許可者として設定された使用者のＩＤ情報に合致する場合にのみ、制御部２２５は、開閉電磁ロック２１１ｍ〜２１５ｍを制御して、貨幣の収納／取出が可能な開状態とすることができる。
【００５８】
別の切替の条件として、本実施の形態では、使用者照合に加えて、連携情報の照合も採用され得る。連携情報とは、例えば入出金操作ごとに設定される操作情報であり、通常は入出金の金種及び金額のデータであるが、入出金操作の手順に関するデータ（例えば、連携番号）を含むこともあり得る。連携情報の照合の具体的態様としては、例えば、予め許可操作として設定された連携情報が、出納機１００から通信機能を利用して例えばＲＡＭ２２５ｅに転送記憶され、一方、使用者によって、連携情報に対応する４桁の連携番号が、キーボード式入力部２２６で入力され得る。そして、入力された４桁の連携番号の情報が、操作識別手段としての制御部２２５ｃによって、転送記憶された連携情報内の連携番号に対して照合され得る。この場合、照合の結果がＹＥＳである場合、即ち、入力された４桁の連携番号が、転送記憶された許可操作の連携情報内の連携番号に合致する場合にのみ、制御部２２５は、開閉電磁ロック２１１ｍ〜２１５ｍを制御して、貨幣の入出金が可能な開状態とすることができる。このように、連携番号は、出納機１００と貨幣管理装置２００Ａ、２００Ｂとの間の貨幣の入出金処理において、出納機１００と貨幣管理装置２００Ａ、２００Ｂとの連携を図るために用いられる連携認証情報である。連携番号は、貨幣の入出金処理ごとに生成され、出納機１００と貨幣管理装置２００Ａ、２００Ｂとの間の貨幣の移動処理を特定又は認証するために用いられる。連携認証情報は、必ずしも番号である必要は無く、特定の文字または記号であってもよい。
【００５９】
尚、この態様においては、入出金操作の具体的内容に即して、開閉電磁ロック２１１ｍ〜２１５ｍを個別に制御することが可能である。具体的には、入出金対象である金種を収納するドロアのみを、開状態に切り替えることができる。更には、複数のドロアが同時には開状態にならないように、各ドロアを順に開状態に切り換えるという制御態様を採用することも可能である。
【００６０】
一方、入出金操作ごとに連携番号の入力を必須とした場合、出納機１００と貨幣管理装置２００Ａ、２００Ｂとの間の入出金処理は、セキュリティ上および複数の処理の重複を回避するために好ましいと言える。しかし、出納機１００と貨幣管理装置２００Ａ、２００Ｂとが互いに接近して配置されている場合には、出納機１００と貨幣管理装置２００Ａ、２００Ｂとの間の貨幣の移動は、通常、即座に実行される。例えば、操作者は、出納機１００から貨幣を取り出し、その後直に、貨幣管理装置２００Ａ、２００Ｂへその貨幣を入れる。このため、連携番号の入力を省略してもセキュリティ上さほど問題にならず、かつ、複数の処理が重複することもない。むしろ、入出金操作ごとに毎回連携番号の入力をしなければならないとすれば、操作者にとって煩雑であり、操作性を損ねる可能性がある。
【００６１】
従って、本実施形態による出納機１００は、出納機１００と貨幣管理装置２００Ａ、２００Ｂとが互いに接近して配置されているような場合に連携番号の入力を省略できるように、連携番号の入力の要否を選択可能とする。操作者は、連携番号の要否のいずれかをキーボード式入力部１６において選択することができる。
【００６２】
さらに、本実施形態による貨幣管理装置２００Ａ、２００Ｂは、タイマ２３０を備えている。タイマ２３０は、貨幣管理装置２００Ａ、２００Ｂに収納されている少なくとも大束紙幣の保管期間を計時する。これにより、例えば、小束紙幣に比較して使用頻度の少ない大束紙幣の保管期間が所定期間（例えば、２週間）を過ぎた場合、あるいは、保管期間が所定期間に近づいた場合に、貨幣管理装置２００Ａ、２００Ｂは、操作者に対して警告を表示することができる。
【００６３】
タイマ２３０の計時は、次のように開始される。貨幣管理装置２００Ａ、２００Ｂにおいて、大束紙幣を収納するドロアが設定されており、そのドロアに大束紙幣が収納される。大束紙幣が収納されると、精査時に、そのドロアに設けられたロードセル２６１が大束紙幣の収納を検知する。ロードセル２６１が大束紙幣の収納を検知したことをトリガーとして、タイマ２３０は計時を開始する。これにより、貨幣管理装置２００Ａ，２００Ｂは、大束紙幣の保管期間を自動で計時することができる。
【００６４】
ロードセル２６１は、図５に示す紙幣保管容器２２１〜２２４ごとに大束紙幣の収納を検知可能であることが好ましい。これにより、タイマ２３０は、紙幣保管容器２２１〜２２４ごとに保管期間を計時することができるからである。尚、図５では、各紙幣保管容器２２１〜２２４は、２つずつ大束紙幣を収納可能であるが、各紙幣保管容器２２１〜２２４が収納可能な大束紙幣の数は限定しない。従って、各紙幣保管容器２２１〜２２４は、１つずつ大束紙幣を収納してもよく、３つ以上の大束紙幣を収納可能にしてもよい。この場合、ロードセル２６１は紙幣保管容器２２１〜２２４ごとにその重量を測定し、タイマ２３０は、ロードセル２６１の測定単位（即ち、各紙幣保管容器２２１〜２２４ごと）に保管期間を計時する。従って、紙幣保管容器２２１〜２２４がそれぞれ複数の大束紙幣を収納している場合、制御部２２５ｃは、その複数の大束紙幣の中で最も長く収納されている大束紙幣の保管期間を管理することになる。
【００６５】
代替的に、操作者が、大束紙幣を収納したときに入力部２２６を用いてタイマ２３０の計時を開始させてもよい。この場合、操作者が大束紙幣を特定する固有ＩＤを入力すれば、貨幣管理装置２００Ａ、２００Ｂは、ロードセル２６１の測定単位に関わらず、各大束紙幣ごとに保管期間を管理することができる。
【００６６】
本実施形態では、出納機１００と第１の貨幣管理装置２００Ａとが相互に通信可能であることを利用して、更に以下のような構成が採用されている。
【００６７】
出納機１００の制御部１５は、通信機能を利用して第１の貨幣管理装置２００Ａの貨幣在高データを確認及び／又は精査するように構成されている。具体的には、出納機１００の制御部１５が、通信インタフェース１９及び通信インタフェース２２９を介して、精査手段である第１の貨幣管理装置２００Ａの制御部２２５ｃを制御できるように構成されている。
【００６８】
その他、各ドロア２１１〜２１５の開状態が所定時間以上継続している際に報知信号を出力する報知装置（アラーム装置）２８０が更に設けられている。例えば、操作者が第１の貨幣管理装置２００Ａから貨幣を取り出すためにドロア２１１〜２１５のいずれかを開状態にした後、その開状態が所定時間以上継続した場合、報知装置２８０が動作する。報知装置２８０を停止するためには、管理者が報知装置２８０のアラームを停止する必要がある。連携番号の入力が不要であると設定されている場合であっても、報知装置２８０は、同様に動作することが好ましい。
【００６９】
また、貨幣管理装置２００Ａ、２００Ｂと出納機１００との連携動作において、出納機１００に貨幣を入金している際に収納庫がフルになった場合、入金処理の途中であっても処理を中断し、収納庫の貨幣を貨幣管理装置２００Ａ、２００Ｂに移すことができ、移し終えたら入金処理を再開することができる。また、出納機１００から貨幣を出金している際に収納庫がエンプティになった場合、出金処理の途中であっても処理を中断し、貨幣管理装置２００Ａ、２００Ｂに保管してある貨幣を出納機１００に装填し、装填が終了したら出金処理を再開することができる。
【００７０】
上述のように、入出金処理の途中に貨幣管理装置２００Ａ、２００Ｂと出納機１００との間で貨幣を移動させる場合、移動させる貨幣の金種と枚数、及び金額を互いの装置の間でデータを送受信し、正しく貨幣が移されたかどうかを確認する。
【００７１】
次に、以上に説明した貨幣管理システム３００の動作例について、フローチャートを参照しながら説明する。
【００７２】
図９は、出納機１００の側での入出金操作準備プロセスの一例のフローチャートである。まず、ＩＤカードリーダ１５ｂによって、出納機１００の操作者のＩＤ情報が読み取られる（Ｓ１１）。当該ＩＤ情報に基づいて、その操作者が、出納機１００の操作許可者であるか否かが識別される（Ｓ１２）。
【００７３】
操作許可者であれば、出納機１００の操作メニューが表示部１５ａに表示される（Ｓ１３）。その表示を見ながら、操作者（操作許可者）は、キーボード式操作部１６を用いて処理内容を入力する（Ｓ１４）。ここで、連携取出／収納を選択する。また、本例では、セキュリティの一層の向上のために、暗証番号入力を求める（Ｓ１５）。
【００７４】
暗証番号の照合の後、操作者（操作許可者）は、キーボード式操作部１６を用いて、入出金操作の詳細を入力する（Ｓ１６）。具体的には、入出金対象の金種及び束数あるいは本数のデータが入力される。その後、操作者による入力完了キーの操作によって、入力完了が検知される（Ｓ１７）。出納機１００は、入力された入出金操作の詳細を含む操作情報としての連携情報（連携処理キューとも呼ばれる）を作成し、その連携情報に対して、連携情報の一部としての連携番号を発行する。出納機１００は、当該連携番号と実際の入出金操作の詳細な内容との対応付けを含む連携情報をハードディスク１５ｇに記憶する（Ｓ１８）。それとともに、出納機１００は、連携情報の入出金操作が貨幣管理装置２００Ａ、２００Ｂにおける入出金操作を含むものである場合、担当者が貨幣管理装置２００Ａ、２００Ｂの操作権限を有する限りにおいて、通信回線を介してオープン要求（後述）を送信する。これにより、貨幣管理装置２００Ａ、２００Ｂは、操作入力画面を連携番号入力画面までスキップさせることができる。尚、出納機１００は、連携情報を貨幣管理装置２００Ａ、２００Ｂには送信せずに、レシート発行装置１８により、レシート又は取引伝票に当該連携番号を含む印字を行い、そのレシート又は取引伝票を発行する（Ｓ１９）。
【００７５】
図１０は、貨幣管理装置２００Ａ、２００Ｂにおける入出金操作プロセスのフローチャートである。操作者は、親機である第１の貨幣管理装置２００Ａのみを操作する。第１の貨幣管理装置２００Ａは、操作者による操作に基づいて、子機である第２の貨幣管理装置２００Ｂの動作を制御する。
【００７６】
まず、ＩＤカードリーダ２２８によって、第１の貨幣管理装置２００Ａの操作者のＩＤ情報が読み取られる（Ｓ２１）。当該ＩＤ情報に基づいて、その操作者が、第１の貨幣管理装置２００Ａの操作許可者であるか否かが識別される（Ｓ２２）。
【００７７】
操作許可者であれば、貨幣管理装置２００の操作メニューが表示部２２７に表示される（Ｓ２３）。その表示を見ながら、操作者（操作許可者）は、キーボード式入力部２２６から処理内容を入力する（Ｓ２４）。
【００７８】
まず、出納機１００との連携処理が選択される場合について先に説明する。
【００７９】
連携処理が選択されると、本例では、セキュリティの一層の向上のために、暗証番号入力を求める（Ｓ２５）。暗証番号の照合の後、操作者は、キーボード式操作部２２６から出納機１００にて発行された連携番号を入力する（Ｓ２６）。
【００８０】
尚、連携番号は、出納機１００において操作者のＩＤ情報が識別され且つ暗証番号が入
力された結果として発行されたものであるので、他の実施の形態として、出納機１００の
操作者が貨幣管理装置２００の操作権限も有する者である場合には、ここで連携番号の入
力のみを要求し、ＩＤ情報及び暗証番号の上記入力要求は省略するようにできる。
【００８１】
連携番号の入力に応じて、第１の貨幣管理装置２００Ａは、出納機１００に問い合わせを行う。出納機１００は、当該連携番号を用いて連携情報を検索し、当該連携番号に対応する連携情報の内容である取出／収納の詳細情報（取出／収納の対象である金種乃至金額のデータの他、ドロアの開閉手順のデータが含まれ得る）をピックアップして第１の貨幣管理装置２００Ａに送信する（Ｓ２７）。第１の貨幣管理装置２００Ａは、その一部又は全部の情報を操作者の確認のために表示する（Ｓ２８）。確認の後、操作者による入力完了キーの操作によって、取出／収納準備完了が検知される（Ｓ２９）。
【００８２】
その後、連携情報に含まれる取出／収納操作の詳細に基づいて貨幣の収納処理又は取出処理が行われる（Ｓ３０）。キーボード式操作部２２６から当該処理が完了した旨の入力が行われると、当該連携情報が更新されてハードディスク２２５ｇに更新記憶される（Ｓ３１）。そして、通信回線を介して当該連携情報が出納機１００にも送信され、出納機１００における当該連携情報が処理済として更新される。
【００８３】
貨幣管理装置２００Ａ、２００Ｂにおいて貨幣を取出／収納する詳細な動作については後述する。
【００８４】
次に、貨幣管理装置２００Ａ（または２００Ｂ）での単体処理、即ち、出納機１００から予め受信する連携情報に基づかないローカル処理が選択される場合について説明する。第２の貨幣管理装置２００Ｂのローカル処理は、第１の貨幣管理装置２００Ａのそれと同様であるので、以下、第１の貨幣管理装置２００Ａのローカル処理を説明し、第２の貨幣管理装置２００Ｂのローカル処理の説明を省略する。
【００８５】
単体処理が選択されると、本例では、セキュリティの一層の向上のために、暗証番号入力を求める（Ｓ１２５）。第１の貨幣管理装置２００Ａの単体処理は、出納機１００から予め受信する連携情報に基づかない処理であって、当該処理に対応する連携情報が未作成の処理である。従って、出納機１００から受信した連携情報に基づく連携処理の場合と異なり、ＩＤ情報及び暗証番号の入力要求は省略することができない。
【００８６】
暗証番号の照合の後、操作者（操作許可者）は、キーボード式操作部２２６から、取出／収納操作の詳細を入力する（Ｓ１２６）。具体的には、取出／収納対象の金種及び束数あるいは本数のデータが入力される。その後、操作者による入力完了キーの操作によって、入力完了が検知される（Ｓ１２７）。
【００８７】
第１の貨幣管理装置２００Ａは、入力された取出／収納操作の詳細を含む処理情報としてのローカル処理情報を作成し、そのローカル処理情報に対して、ローカル処理情報の一部としてのローカル処理番号を発行する。第１の貨幣管理装置２００Ａは、当該ローカル処理番号と実際の取出／収納操作の詳細な内容との対応付けを含むローカル処理情報をハードディスク２２５ｇに記憶する。それとともに、第１の貨幣管理装置２００Ａは、通信回線を介して当該ローカル処理情報を出納機１００に送信する。この時に通信回線が切断された状態であった場合は、第１の貨幣管理装置２００Ａに当該ローカル処理情報を保持しておき、その後、通信回線が接続されたときに出納機１００に送信する。第１の貨幣管理装置２００Ａでの単体処理に関するローカル処理情報の送信前には、出納機１００は、当該単体処理に関する情報を何も持っていない状態であるので、単体処理に関するローカル処理情報は例外なく総て出納機１００に送信する。
【００８８】
その後、ローカル処理情報に含まれる取出／収納操作の詳細に基づいて貨幣の収納／取出が行われる（Ｓ１２８）。キーボード式操作部２２６から、当該処理が完了した旨の入力が行われると、当該ローカル処理情報が更新されてハードディスク２２５ｇに更新記憶される（Ｓ１２９）。それとともに、通信回線を介して当該ローカル処理情報が出納機１００にも送信され、出納機１００における当該ローカル処理情報が更新される。上記同様、この時に通信回線が切断された状態であった場合は、第１の貨幣管理装置２００Ａに当該ローカル処理情報を保持しておき、その後、通信回線が接続されたときに出納機１００に送信する。尚、当該ローカル処理情報の作成時に当該ローカル処理情報を出納機１００に送信できず未送信であった場合には、取出／収納操作の完了後に更新済みの当該ローカル処理情報のみを送信するようにしてもよい。
【００８９】
尚、第２の貨幣管理装置２００Ｂのローカル処理情報は、第１の貨幣管理装置２００Ａを介して出納機１００へ送信される。
【００９０】
図１１は、本実施形態による貨幣管理システム及び貨幣管理方法による貨幣在高管理の全体像を模式的に表した説明図である。
【００９１】
出納機１００と貨幣管理装置２００Ａ、２００Ｂとは、相互に通信可能に構成されているが、その通信回線は常時接続ではなく、随時、任意に接続を物理的に切断することができる。従って、貨幣管理装置２００Ａ、２００は、店舗内の任意の場所へ移動して使用することができる。尚、貨幣管理装置２００Ａ、２００は、単体での在高管理も可能である。
【００９２】
本実施形態による貨幣管理システム及び貨幣管理方法においては、金融機関の店舗内の総ての在高管理は、出納機１００によって行われる。出納機１００が管理する貨幣在高には、在庫在高６、機械在高１、ポスト在高２、手持ち在高３が含まれる。
【００９３】
在庫在高６とは、金融機関店舗内の本金庫内に収納されている貨幣の在高である。機械在高１とは、出納機１００内に収納されている貨幣の在高である。ポスト在高２とは、出納機１００のポスト、即ち、前述の現金外ボックス１４に入金された小切手等の有価証券類や、破損又は汚損した紙幣である損券であって、出金が不可能な貨幣の在高である。手持ち在高３とは、資金移動のために一時的に本金庫又は出納機１００から取り出される等して、人手による管理の下に置かれている貨幣の在高であるが、貨幣管理装置２００Ａ、２００Ｂに収納されて移動可能な状態となっている貨幣の在高である貨幣管理装置在高４（４Ｘ，４Ｙ）も手持ち在高の一部として管理される。貨幣管理装置在高４は、出納機１００において手持ち在高３の一部４Ｘとして管理されるが、貨幣管理装置２００Ａ、２００Ｂ自体においては、貨幣管理装置在高４Ｙとして管理されるものである。貨幣管理装置２００Ａ、２００Ｂの貨幣管理装置在高４Ｙは、出納機１００により第１の貨幣管理装置２００Ａに随時問い合わせられる。第１の貨幣管理装置２００Ａは、第２の貨幣管理装置２００Ｂの貨幣在高も管理しているので、出納機１００は、第１の貨幣管理装置２００Ａへ問い合わせることによって、貨幣管理装置２００Ａ、２００Ｂの各貨幣在高を足した総在高を把握することができる。従って、貨幣管理装置在高４Ｘと貨幣管理装置在高４Ｙとは、出納機１００と第１の貨幣管理装置２００Ａとの間で連携情報を送受信して双方の貨幣在高データを更新することにより一致させられる。
【００９４】
連携情報は、出納機１００の処理情報管理データベース４００に記憶され、必要に応じて随時、更新される。この処理情報管理データベース４００は、例えば、出納機１００のハードディスクドライブ１５ｇに記憶される。
【００９５】
顧客との間で入出金を行う場合には、機械在高又は手持ち在高に含まれる貨幣を用いて入出金を行う。また、顧客から小切手等の有価証券類が入金された場合や、入金された貨幣の中に損券が含まれていた場合は、それらはポスト入金されてポスト在高として管理されるが、その後、それらの有価証券類や損券が出納機１００のポストから回収されると、そのポスト在高は手持ち在高の一部として管理される。
【００９６】
出納機１００に収納されている貨幣が不足したり入り切らなくなったりしたときは、本金庫から貨幣を取り出して出納機１００に補充したり、出納機１００から貨幣を回収して本金庫に収納したりする。その資金移動の際には、当該資金は一時的に手持ち在高として管理される。
【００９７】
貨幣管理装置２００Ａ、２００Ｂに収納されている貨幣が不足したり入り切らなくなったときは、本金庫から貨幣を取り出して貨幣管理装置２００Ａ、２００Ｂに補充したり、手持ち在高の中から貨幣を貨幣管理装置２００Ａ、２００Ｂに装填したり、貨幣管理装置２００Ａ、２００Ｂから貨幣を回収して本金庫に収納したり、あるいは、手元に置いて手持ち在高として管理したりする。
【００９８】
総ての資金移動は、上述のように出納機１００によって在高管理が行われるが、特に、貨幣管理装置２００Ａ、２００Ｂにおける貨幣の収納及び取出を含む入出金操作が行われる場合には、連携番号が付された連携情報が出納機１００において作成される。貨幣管理装置２００Ａ、２００Ｂの取出／収納操作の実行前に当該連携情報が出納機１００から第１の貨幣管理装置２００Ａへ送信され、かつ、その取出／収納操作の実行後にも当該連携情報の更新情報が第１の貨幣管理装置２００Ａから出納機１００へ送り返されて、出納機１００と第１の貨幣管理装置２００Ａとにおける当該連携情報の整合が図られ、正確な在高管理が維持される。
【００９９】
[大束紙幣の管理]
以上のような貨幣管理システム３００において、大束紙幣の管理は、以下のように実行される。第１の実施形態では、貨幣管理装置２００Ａは、単体で大束紙幣の管理を行う。
【０１００】
図１２は、第１の実施形態による貨幣管理装置２００Ａにおける大束紙幣の管理動作を示すフロー図である。ここでは、貨幣管理装置２００Ａのドロア２１１〜２１４が小束紙幣または大束紙幣を収納するものとする。
【０１０１】
図１０に示すステップＳ３０またはＳ１２８において、操作者が１万円の大束紙幣をドロア２１１〜２１４のいずれかに収納する（Ｓ３００）。例えば、操作者はドロア２１２に大束紙幣を収納するものとする。操作者がドロアを閉じると、ロードセル２６１がドロア２１２の重量を測定することによって、大束紙幣がドロア２１２に収納されたことを検知する（Ｓ３１０）。ロードセル２６１は、紙幣保管容器２２１〜２２４ごとにその重量を測定することができるように構成されており、どの紙幣保管容器に大束紙幣が収納されたかを検知することができる。例えば、操作者は、紙幣保管容器２２２に大束紙幣を収納するものとする。
【０１０２】
ロードセル２６１による大束紙幣の収納の検知に応じて、制御部２２５ｃは、タイマ２３０に計時を開始させる（Ｓ３２０）。タイマ２３０は、大束紙幣が収納された時点（操作日時）から現時点までの保管期間を紙幣保管容器２２１〜２２４ごとに計時することができるように構成されている。
【０１０３】
タイマ２３０において計時されている保管期間は、貨幣管理装置２００Ａの表示部２２７に表示させる（Ｓ３３０）。本実施形態では、表示部２２７は、保管期間を紙幣保管容器２２１〜２２４ごとに表示させる。これにより、操作者および管理者は、大束紙幣の保管期間を確認することができる。金融機関において大束紙幣の保管期間の上限を示す上限期間が規定されている場合、操作者は、表示部２２７で保管期間を確認し、保管期間が上限期間を超過する前に大束紙幣を使用する。これにより、大束紙幣の保管期間の管理が容易になり、操作者または管理者の作業負担が軽減する。
【０１０４】
また、操作者は、貨幣管理装置２００Ａに収納されている大束紙幣の中で、保管期間が上限期間を超過している大束紙幣を容易に把握することができる。
【０１０５】
保管期間が上限期間を超過した場合（Ｓ３４０のＹＥＳ）、例えば、ドロア２１２の紙幣保管容器２２２内の大束紙幣の保管期間が上限期間を超過した場合、操作者は、ドロア２１２の紙幣保管容器２２２内の大束紙幣を貨幣管理装置２００Ａから取り出す。操作者は、その大束紙幣の帯封を一旦開封し、紙幣数を計測し直し、さらに、それらの紙幣を再度帯封で結束する。そして、操作者は、帯封を巻き直した大束紙幣を同一ドロア２１２内の同一紙幣保管容器２２２へ再度収納する（Ｓ３６０）。タイマ２３０は大束紙幣が操作者によって紙幣保管容器２２２から取出されたとき、あるいは、紙幣保管容器２２２へ再度収納されたときに、その紙幣保管容器２２２の保管期間をリセットすればよい（Ｓ３７０）。その後、ステップＳ３１０へ戻る。
【０１０６】
この場合、ステップＳ３００、Ｓ３４０およびＳ３６０は、操作者によって実行されるが、その他のステップは、貨幣管理装置２００Ａが自動で実行することができる。
【０１０７】
図１３は、第１の実施形態による貨幣管理装置２００Ａにおける大束紙幣の他の管理動作を示すフロー図である。貨幣管理装置２００Ａの記憶部２２５ｄ、２２５ｅまたは２２５ｇは、保管期間の上限を示す上限期間を記憶しているものとする。図１２に示すステップＳ３１０〜Ｓ３３０の実行後、貨幣管理装置２００Ａの制御部２２５ｃが、保管期間と上限期間とを比較する（Ｓ３４０）。そして、保管期間が上限期間を超過した場合（Ｓ３４０のＹＥＳ）、貨幣管理装置２００Ａの制御部２２５ｃは、表示部２２７に保管期間が上限期間を過ぎたことを示す警告を表示する（Ｓ３５０）。例えば、表示部２２７は、「ドロア２１２内の紙幣保管容器２２１の大束紙幣の保管期間が２週間を過ぎました」とのメッセージを表示する。これにより、操作者または管理者は、貨幣管理装置２００Ａに収納されている大束紙幣の中で、保管期間が上限期間を超過している大束紙幣を容易に把握することができる。この場合、操作者は、保管期間が上限期間を超過している大束紙幣の帯封を巻き直し、その大束紙幣を同一ドロア２１２内の同一紙幣保管容器２２２へ再度収納する（Ｓ３６０）。タイマ２３０は大束紙幣が操作者によって紙幣保管容器２２２から取出されたとき、あるいは、紙幣保管容器２２２へ再度収納されたときに、その紙幣保管容器２２２の保管期間をリセットすればよい（Ｓ３７０）。その後、ステップＳ３１０へ戻る。
【０１０８】
この場合、ステップＳ３００およびＳ３６０は、操作者によって実行されるが、その他のステップは、貨幣管理装置２００Ａが自動で実行することができる。即ち、貨幣管理装置２００Ａは、保管期間が上限期間を超過している大束紙幣を操作者に対して通知することができる。
【０１０９】
図１４は、第１の実施形態による貨幣管理装置２００Ａにおける大束紙幣のさらに他の管理動作を示すフロー図である。貨幣管理装置２００Ａの記憶部２２５ｄ、２２５ｅまたは２２５ｇは、上限期間と共に、該上限期間よりも所定期間（例えば、２日）だけ短い注意期間を記憶している。
【０１１０】
図１２に示すステップＳ３１０〜Ｓ３３０の実行後、貨幣管理装置２００Ａの制御部２２５ｃは、保管期間と注意期間とを比較する（Ｓ３４１）。そして、保管期間が注意期間を超過した場合（Ｓ３４１のＹＥＳ）、貨幣管理装置２００Ａの制御部２２５ｃは、表示部２２７に保管期間が注意期間を過ぎたことを示す警告を表示する（Ｓ３５１）。例えば、表示部２２７は、「ドロア２１２内の紙幣保管容器２２１の大束紙幣の保管期間が１２日を過ぎました」とのメッセージを表示する。これにより、操作者または管理者は、貨幣管理装置２００Ａに収納されている大束紙幣の中で、上限期間に接近している大束紙幣を容易に把握することができる。この場合、保管期間はまだ上限期間を超過していないので、操作者は、大束紙幣の帯封を巻き直す必要はない。操作者は、保管期間が上限期間に接近している大束紙幣を優先的に使用することによって、無駄な大束紙幣の帯封の巻き直しを省略することができる。
【０１１１】
その後、貨幣管理装置２００Ａは、図１３のステップＳ３３０〜Ｓ３７０を実行し、上限期間を用いて大束紙幣を管理する。管理期間が上限期間を超過した場合、操作者は、保管期間が上限期間を超過した大束紙幣の帯封を巻き直し、その大束紙幣を同一ドロア２１２内の同一紙幣保管容器２２２へ再度収納する（Ｓ３６０）。タイマ２３０は大束紙幣が操作者によって紙幣保管容器２２２から取出されたとき、あるいは、紙幣保管容器２２２へ再度収納されたときに、その紙幣保管容器２２２の保管期間をリセットすればよい（Ｓ３７０）。その後、ステップＳ３１０へ戻る。
【０１１２】
図１４に示す運用により、貨幣管理装置２００Ａは、保管期間を２段階に分けて管理することができる。即ち、貨幣管理装置２００Ａは、まず注意期間を用いて保管期間を管理し、保管期間が注意期間を超過した後に、上限期間を用いて保管期間を管理する。これにより、操作者は、上限期間に接近しているがまだ上限期間を超過していない大束紙幣を優先的に使用することができるとともに、保管期間が上限期間を超過した場合には、操作者は、その大束紙幣の帯封を直ちに巻き直すことができる。このように運用することによって、操作者の管理負担および作業負担を軽減し、かつ、大束紙幣を厳正かつ容易に管理することが可能になる。
【０１１３】
図１５は、貨幣管理装置２００Ａの表示部２２７に表示される残り期間の管理画面である。図１２〜図１４では、貨幣管理装置２００Ａの表示部２２７は、大束紙幣の保管期間を表示し、保管期間が注意期間または上限期間を超過したときに警告を表示する。
【０１１４】
一方、図１５に示す管理画面では、上限期間までの残り期間をドロアごとおよび紙幣保管容器ごとに示している。残り期間は、上限期間から保管期間を引き算することによって得られる。制御部２２５ｃは、記憶部２２５ｄ、２２５ｅまたは２２５ｇに格納された上限期間からタイマ２３０で計測されている保管期間を減算することによって残り期間を演算する。
【０１１５】
また、タイマ２３０は、紙幣保管容器２２１〜２２６ごとに保管期間を計時し、表示部２２７は、保管期間の長い順番（古い順番）に紙幣保管容器２２１〜２２６およびそれに対応する残り期間を表示する。
【０１１６】
例えば、図１５に示す管理画面では、ドロア２１２の紙幣保管容器２２１に収納されている大束紙幣の残り期間は、上限期間まで２日であることを示している。ドロア２１２の紙幣保管容器２２２に収納されている大束紙幣の残り期間は、上限期間まで４日であることを示している。ドロア２１２の紙幣保管容器２２３に収納されている大束紙幣の残り期間は、上限期間まで５日であることを示している。ドロア２１２の紙幣保管容器２２４に収納されている大束紙幣の残り期間は、上限期間まで７日であることを示している。
【０１１７】
残り期間がゼロになったときに、保管期限が上限期限を超過する。そのときには、表示部２２７は、保管期間が上限期間を超過したことを示す警告を表示する。
【０１１８】
このように、残り期間を表示することによって、操作者は、上限期間を意識することなく、大束紙幣の保管期間を管理することができる。また、保管期間の長い順番（古い順番）に紙幣保管容器２２１〜２２６およびそれに対応する残り期間を表示することによって、操作者は、どのドロア内のどの紙幣保管容器の大束紙幣を優先的に使用すべきかを容易に把握することができる。その結果、操作者の管理負担および作業負担を軽減し、かつ、大束紙幣を厳正かつ容易に管理することが可能になる。
【０１１９】
尚、残り期間の表示は、特に限定しない。例えば、残り期間の表示は、日数（例えば、「残り１日」）で表示してもよく、週数（例えば、「残り１週間」）で表示してもよい。さらに、残り期間の表示は、時間も含めた残りの日数および時間（例えば、「残り２日と１０時間」）で表示してもよい。
【０１２０】
本実施形態では、大束紙幣の保管期間を管理したが、小束紙幣についても保管期間を同様に管理してよい。さらに、貨幣管理装置２００Ａは、１万円の大束紙幣だけでなく、５千円、２千円、千円の各大束紙幣または各小束紙幣についても保管期間を同様に管理してよい。貨幣管理装置２００Ｂも貨幣管理装置２００Ａと同様に単体で貨幣の保管期間を管理してよい。
【０１２１】
ステップＳ３６０において、貨幣管理装置２００Ａへ大束紙幣を再度収納するときには、二者承認を行ってもよい。二者承認は、大束紙幣が所定枚数（例えば、１０００枚）の紙幣を含むことを複数のテラーまたは管理者で確認し、紙幣の抜取り等の不正がないことを承認することである。
【０１２２】
図１６は、二者承認における貨幣管理装置２００Ａの動作を示すフロー図である。或る大束紙幣の保管期間が上限期間を超過した場合（Ｓ３４０のＹＥＳ）に、操作者は、カードリーダ２２８に自己のＩＤカードを通す。これにより、カードリーダ２２８は操作者のＩＤ情報を読み取り（Ｓ６１０）、制御部２２５ｃは、カードリーダ２２８で読み取ったＩＤ情報と記憶部２２５ｄ、２２５ｅまたは２２５ｇに記憶された操作許可者のＩＤ情報とを比較する（Ｓ６１２）。カードリーダ２２８で読み取ったＩＤ情報が記憶部２２５ｄ、２２５ｅまたは２２５ｇに記憶されているいずれかのＩＤ情報と一致する場合（Ｓ６１２のＹＥＳ）、貨幣管理装置２００Ａは、操作者が大束紙幣を取出すことができるようにドロア２１１〜２１４のいずれかを解錠する（Ｓ６１４）。
【０１２３】
一方、カードリーダ２２８で読み取ったＩＤ情報が記憶部２２５ｄ、２２５ｅまたは２２５ｇに記憶されているいずれかのＩＤ情報と一致しない場合（Ｓ６１２のＮＯ）、貨幣管理装置２００Ａは、大束紙幣の取出しを禁止し、ドロア２１１〜２１４を施錠したままとする（Ｓ６１６）。この場合、表示部２２７は、その操作者が操作許可者でないことを通知する（Ｓ６１８）。
【０１２４】
操作者は、保管期間が上限期間を超過した大束紙幣を取り出し、その大束紙幣の帯封を開封後、紙幣の枚数を計測する。そして、操作者は、再度、それらの紙幣を帯封で巻き直して新しい大束紙幣を再度作成する。このとき、不正がないように、複数の操作者（テラーまたは管理者）が紙幣数の計測および新しい大束紙幣の作成を確認する（Ｓ６２０）。
【０１２５】
新しい大束紙幣を再度収納庫へ収納する際には、複数の操作者が、カードリーダ２２８にＩＤ情報を通す。カードリーダ２２８は複数の操作者のＩＤ情報を読み取る（Ｓ６２２）。制御部２２５ｃは、カードリーダ２２８によって読み取った複数の操作者のＩＤ情報と記憶部２２５ｄ、２２５ｅまたは２２５ｇに記憶された操作許可者のＩＤ情報とを比較する（Ｓ６２４）。そして、記憶部２２５ｄ、２２５ｅまたは２２５ｇに記憶された操作許可者のＩＤ情報の中に、カードリーダ２２８によって読み取った複数のテラーまたは管理者のＩＤ情報と一致するＩＤ情報がある場合に（Ｓ６２４のＹＥＳ）、貨幣管理装置２００Ａは、大束紙幣をドロア２１１〜２１４のいずれかへ収納することを許可する（Ｓ６２６）。
【０１２６】
一方、記憶部２２５ｄ、２２５ｅまたは２２５ｇに記憶された操作許可者のＩＤ情報の中に、カードリーダ２２８によって読み取った複数のテラーまたは管理者のＩＤ情報と一致するＩＤ情報がない場合に（Ｓ６２４のＮＯ）、制御部２２５ｃは、大束紙幣をドロア２１１〜２１４へ収納することを禁止する（Ｓ６２８）。そして、表示部２２７は、複数の操作者のいずれかが操作許可者でないことを通知する（Ｓ６３０）。その後、図１２から図１４に示すステップ３７０を実行する。
【０１２７】
このように、貨幣管理装置２００Ａは、大束紙幣を収納する際に、二者承認を行うように構成してもよい。勿論、三者以上の承認を義務づけても差し支えない。
【０１２８】
（第２の実施形態）
第２の実施形態では、親子関係を有する第１および第２の貨幣管理装置２００Ａ、２００Ｂが貨幣管理システムとして大束紙幣の管理を行う。第２の実施形態では、親機としての第１の貨幣管理装置２００Ａは、小束紙幣および大束紙幣の両方を収納し、子機としての第２の貨幣管理装置２００Ｂは、大束紙幣のみを収納するものとする。ただし、第１の貨幣管理装置２００Ａおよび第２の貨幣管理装置２００Ｂは、ともに同じ構成を有する。
【０１２９】
図１７は、第２の実施形態による貨幣管理システム３００における大束紙幣の管理動作を示すフロー図である。
【０１３０】
第１の貨幣管理装置２００Ａは、タイマ（第１のタイマ）２３０を備え、大束紙幣が第１の貨幣管理装置２００Ａのドロア２１１〜２１４のいずれかに収納された時点からの第１の保管期間を計時する。表示部２２７は、第１の保管期間、または、上限期間から第１の保管期間を引いた第１の残り期間を表示する。親機としての第１の貨幣管理装置２００Ａにおける大束紙幣の管理は、第１の実施形態における大束紙幣の管理と同様である。従って、ここでは、子機としての第２の貨幣管理装置２００Ｂにおける大束紙幣の管理に関して詳細に説明する。
【０１３１】
図１０に示すステップＳ３０またはＳ１２８において、操作者が１万円の大束紙幣を第２の貨幣管理装置２００Ｂのドロア（第２の収納庫）２１１〜２１４のいずれかに収納する（Ｓ４００）。例えば、操作者は第２の貨幣管理装置２００Ｂのドロア２１２に大束紙幣を収納するものとする。操作者がドロアを閉じると、ロードセル２６１がドロア２１２の重量を測定することによって、大束紙幣がドロア２１２に収納されたことを検知する（Ｓ４１０）。例えば、操作者は、紙幣保管容器２２２に大束紙幣を収納するものとする。
【０１３２】
ロードセル２６１による大束紙幣の収納の検知に応じて、制御部２２５ｃは、タイマ（第２のタイマ）２３０に計時を開始させる（Ｓ４２０）。
【０１３３】
そして、第２の貨幣管理装置２００Ｂの送信部２２９は、タイマ２３０において計時されている第２の保管期間を第１の貨幣管理装置２００Ａへ送信する（Ｓ４３０）。第１の貨幣管理装置２００Ａは、第１の貨幣管理装置２００Ａの表示部２２７に、第１の貨幣管理装置２００Ａに収納されている大束紙幣の第１の保管期間を表示させると共に、第２の貨幣管理装置２００Ｂから受信した第２の保管期間をも表示させる（Ｓ４４０）。これにより、操作者は、親機としての第１の貨幣管理装置２００Ａの表示部２２７を確認するだけで、第１および第２の貨幣管理装置２００Ａ、２２０Ｂに格納されている大束紙幣の保管期間（第１および第２の保管期間）を知ることができる。即ち、第２の実施形態による貨幣管理システム３００は、複数の貨幣管理装置２００Ａ、２００Ｂに収納されている大束紙幣の保管期間を、親機としての第１の貨幣管理装置２００Ａにおいて一括管理することができる。
【０１３４】
第１の保管期間または第２の保管期間のいずれかが上限期限を超過した場合（Ｓ４５０のＹＥＳ）、例えば、第２の貨幣管理装置２００Ｂのドロア２１２の紙幣保管容器２２２内における大束紙幣の保管期間が上限期間を超過した場合、操作者は、第２の貨幣管理装置２００Ｂ内のドロア２１２の紙幣保管容器２２２から大束紙幣を取り出す。操作者は、その大束紙幣の帯封を一旦開封し、紙幣数を計測し直し、さらに、それらの紙幣を再度帯封で結束する。そして、操作者は、帯封を巻き直した大束紙幣を同一ドロア２１２内の同一紙幣保管容器２２２へ再度収納する（Ｓ４６０）。
【０１３５】
第２の貨幣管理装置２００Ｂのタイマ２３０は、大束紙幣が操作者によって紙幣保管容器２２２から取出されたとき、あるいは、紙幣保管容器２２２へ再度収納されたときに、その紙幣保管容器２２２の保管期間をリセットすればよい（Ｓ４７０）。その後、ステップＳ４１０へ戻る。この場合、ステップＳ４００、Ｓ４５０およびＳ４６０は、操作者によって実行されるが、その他のステップは、貨幣管理装置２００Ａが自動で実行することができる。
【０１３６】
図１８は、第２の実施形態による貨幣管理システム３００における大束紙幣の他の管理動作を示すフロー図である。第１の貨幣管理装置２００Ａの記憶部２２５ｄ、２２５ｅまたは２２５ｇは、第１および第２の保管期間の上限を示す上限期間を記憶しているものとする。上限期間は、第１および第２の保管期間に共通であってもよく、それぞれに対して異なる期間であってもよい。
【０１３７】
この場合、図１７に示すステップＳ４００〜Ｓ４４０の実行後、親機である第１の貨幣管理装置２００Ａの制御部２２５ｃが、第１および第２の保管期間と上限期間とを比較する（Ｓ４５０）。そして、第１または第２の保管期間が上限期間を超過した場合（Ｓ４５０のＹＥＳ）、第１の貨幣管理装置２００Ａの制御部２２５ｃは、表示部２２７に第１または第２の保管期間が上限期間を過ぎたことを示す警告を表示する（Ｓ４５５）。例えば、表示部２２７は、「第２の貨幣管理装置２００Ｂのドロア２１２内の紙幣保管容器２２１の大束紙幣の保管期間が２週間を過ぎました」とのメッセージを表示する。これにより、操作者または管理者は、第２の貨幣管理装置２００Ｂに収納されている大束紙幣の中で、保管期間が上限期間を超過している大束紙幣を容易に把握することができる。この場合、操作者は、保管期間が上限期間を超過している大束紙幣の帯封を巻き直し、その大束紙幣を同一ドロア２１２内の同一紙幣保管容器２２２へ再度収納する（Ｓ４６０）。タイマ２３０は大束紙幣が操作者によって紙幣保管容器２２２から取出されたとき、あるいは、紙幣保管容器２２２へ再度収納されたときに、その紙幣保管容器２２２の保管期間をリセットすればよい（Ｓ４７０）。その後、ステップＳ４１０へ戻る。
【０１３８】
この場合、ステップＳ４００およびＳ４６０は、操作者によって実行されるが、その他のステップは、第１および第２の貨幣管理装置２００Ａ、２００Ｂが自動で実行することができる。第１の貨幣管理装置２００Ａは、保管期間が上限期間を超過している大束紙幣を操作者に対して通知することができる。
【０１３９】
図１９は、第２の実施形態による貨幣管理システム３００における大束紙幣のさらに他の管理動作を示すフロー図である。第１の貨幣管理装置２００Ａの記憶部２２５ｄ、２２５ｅまたは２２５ｇは、上限期間と共に、該上限期間よりも所定期間（例えば、２日）だけ短い注意期間を記憶している。
【０１４０】
図１７に示すステップＳ４００〜Ｓ４４０の実行後、第１の貨幣管理装置２００Ａの制御部２２５ｃは、第１および第２の保管期間と注意期間とを比較する（Ｓ４５１）。そして、第１または第２の保管期間のいずれかが注意期間を超過した場合（Ｓ４５１のＹＥＳ）、第１の貨幣管理装置２００Ａの制御部２２５ｃは、第１の貨幣管理装置２００Ａの表示部２２７に第１または第２の保管期間が注意期間を過ぎたことを示す警告を表示する（Ｓ４６１）。例えば、表示部２２７は、「第２の貨幣管理装置２００Ｂのドロア２１２内の紙幣保管容器２２１における大束紙幣の保管期間が１２日を過ぎました」とのメッセージを表示する。これにより、操作者または管理者は、第１および第２の貨幣管理装置２００Ａ、２００Ｂに収納されている大束紙幣の中で、上限期間に接近している大束紙幣を容易に把握することができる。この場合、保管期間はまだ上限期間を超過していないので、操作者は、大束紙幣の帯封を巻き直す必要はない。操作者は、保管期間が上限期間に接近している大束紙幣を優先的に使用することによって、無駄な大束紙幣の帯封の巻き直しを省略することができる。
【０１４１】
その後、第１の貨幣管理装置２００Ａは、図１８のステップＳ４４０〜Ｓ４５５を実行し、上限期間を用いて大束紙幣を管理する。第１または第２の保管期間が上限期間を超過した場合、操作者は、保管期間が上限期間を超過した大束紙幣の帯封を巻き直し、その大束紙幣を同一ドロア２１２内の同一紙幣保管容器２２２へ再度収納する（Ｓ４６０）。タイマ２３０は大束紙幣が操作者によって紙幣保管容器２２２から取出されたとき、あるいは、紙幣保管容器２２２へ再度収納されたときに、その紙幣保管容器２２２の保管期間をリセットすればよい（Ｓ４７０）。その後、ステップＳ４１０へ戻る。
【０１４２】
図１９に示す運用により、貨幣管理システム３００は、第１および第２の保管期間を２段階に分けて管理することができる。即ち、第１の貨幣管理装置２００Ａは、まず注意期間を用いて第１および第２の保管期間を管理し、第１または第２の保管期間が注意期間を超過した後に、上限期間を用いて第１および第２の保管期間を管理する。これにより、操作者は、上限期間に接近しているがまだ上限期間を超過していない大束紙幣を優先的に使用することができるとともに、第１または第２の保管期間が上限期間を超過した場合には、操作者は、その大束紙幣の帯封を直ちに巻き直すことができる。このように運用することによって、操作者の管理負担および作業負担を軽減し、かつ、大束紙幣を厳正かつ容易に管理することが可能になる。
【０１４３】
尚、貨幣管理システム３００は、保管期間に代えて、残り期間を用いて大束紙幣を管理してもよい。この場合、上記ステップＳ４３０において、第２の貨幣管理装置２００Ｂは、第２の貨幣管理装置２００Ｂに収納されている大束紙幣の第２の残り期間を第１の貨幣管理装置２００Ａに送信する。ステップＳ４４０において、第１の貨幣管理装置２００Ａは、第１の貨幣管理装置２００Ａの表示部２２７に、第１の貨幣管理装置２００Ａに収納されている大束紙幣の第１の残り期間を表示させると共に、第２の貨幣管理装置２００Ｂから受信した第２の残り期間をも表示させる。これにより、貨幣管理システム３００は、複数の貨幣管理装置２００Ａ、２００Ｂに収納されている大束紙幣の残り期間を、親機としての第１の貨幣管理装置２００Ａにおいて一括管理することができる。
【０１４４】
図２０は、第１の貨幣管理装置２００Ａの表示部２２７に表示される第２の残り期間の管理画面である。ここでは、第２の貨幣管理装置２００Ｂに収納された大束紙幣の残り期間（第２の残り期間）のみを表示しているが、第１の貨幣管理装置２００Ａに収納された大束紙幣の残り期間（第１の残り期間）も表示してよい。この場合、第１および第２の残り期間はそれぞれ第１および第２の貨幣管理装置２００Ａ、２００Ｂごとに表示される。また、ここでは、第１の貨幣管理装置２００Ａ表示部２２７は、保管期間の長い順番（古い順番）に第２の貨幣管理装置２００Ｂの紙幣保管容器２２１〜２２６およびそれに対応する残り期間を表示する。
【０１４５】
例えば、図２０に示す管理画面では、ドロア２１１の紙幣保管容器２２１に収納されている大束紙幣の残り期間は、上限期間まで１日であることを示している。ドロア２１２の紙幣保管容器２２２に収納されている大束紙幣の残り期間は、上限期間まで２日であることを示している。ドロア２１１の紙幣保管容器２２４に収納されている大束紙幣の残り期間は、上限期間まで３日であることを示している。ドロア２１３の紙幣保管容器２２５に収納されている大束紙幣の残り期間は、上限期間まで４日であることを示している。尚、図１５に示すように、或るドロア内において、大束紙幣の保管期間の長い順番にその大束紙幣を収納する紙幣保管容器を表示してもよく、図２０に示すように、全てのドロアを対象として、大束紙幣の保管期間の長い順番にその大束紙幣を収納する紙幣保管容器を表示してもよい。
【０１４６】
第１または第２の残り期間がゼロになったときに、保管期限が上限期限を超過する。そのときには、第１の貨幣管理装置２００Ａの表示部２２７は、保管期間が上限期間を超過したこと、あるいは、残り期間がゼロになったことを示す警告を表示する。
【０１４７】
このように、残り期間を表示することによって、操作者は、上限期間を意識することなく、大束紙幣の保管期間を管理することができる。また、保管期間の長い順番（古い順番）に紙幣保管容器２２１〜２２６およびそれに対応する残り期間を表示することによって、操作者は、どのドロアのどの紙幣保管容器の大束紙幣を優先的に使用すべきかを容易に把握することができる。その結果、操作者の管理負担および作業負担を軽減し、かつ、大束紙幣を厳正かつ容易に管理することが可能になる。
【０１４８】
第２の実施形態では、大束紙幣の保管期間を管理したが、小束紙幣についても保管期間を同様に管理してよい。さらに、貨幣管理装置２００Ａは、１万円の大束紙幣だけでなく、５千円、２千円、千円の各大束紙幣または各小束紙幣についても保管期間を同様に管理してよい。貨幣管理装置２００Ｂも貨幣管理装置２００Ａと同様に単体で貨幣の保管期間を管理してよい。
【０１４９】
また、第２の実施形態による貨幣管理システム３００において大束紙幣の収納時に二者承認を実行してもよい。この場合、図１７〜図１９におけるステップＳ４６０において、図１６に示すステップＳ６１０〜Ｓ６３０を実行すればよい。
【０１５０】
第２の実施形態による貨幣管理システム３００は、複数の貨幣管理装置２００Ａ、２００Ｂに収納されている大束紙幣の保管期間を、親機としての第１の貨幣管理装置２００Ａにおいて一括管理することができる。従って、操作者は、第１の貨幣管理装置２００Ａを確認することによって第１および第２の貨幣管理装置２００Ａ、２００Ｂの大束紙幣の保管期間を管理できる。その結果、操作者の管理負担および作業負担をさらに軽減し、かつ、大束紙幣を厳正かつ容易に管理することが可能になる。また、第２の実施形態は、第１の実施形態と同様の効果をさらに得ることができる。
【０１５１】
通常業務において、第１または第２の貨幣管理装置２００Ａ、２００Ｂから大束紙幣を取出す場合、タイマ２３０は、対応する紙幣保管容器の保管期間をリセットする。第１または第２の貨幣管理装置２００Ａ、２００Ｂに大束紙幣を収納する場合、タイマ２３０は、対応する紙幣保管容器の保管期間の計時を開始する。このとき、親機としての第１の貨幣管理装置２００Ａから優先して大束紙幣を取出し、あるいは、第１の貨幣管理装置２００Ａへ優先して大束紙幣を収納する。代替的に、第１および第２の貨幣管理装置２００Ａ，２００Ｂのいずれから大束紙幣を取出すかは、操作者が任意に選択してもよい。
【０１５２】
通常業務において、第１または第２の貨幣管理装置２００Ａ、２００Ｂから小束紙幣を取出す場合、操作者は、親機としての第１の貨幣管理装置２００Ａ内の小束紙幣を優先的に使用する。第１の貨幣管理装置２００Ａに収納されている小束紙幣の数が不足している場合、第１の貨幣管理装置２００Ａは、子機としての第２の貨幣管理装置２００Ｂから大束紙幣の取り出しを可能にする。操作者は、第２の貨幣管理装置２００Ｂから大束紙幣を取り出し、その帯封を開封し、小束紙幣として用いる。第２の貨幣管理装置２００Ｂから大束紙幣が取出された場合、タイマ２３０は、対応する紙幣保管容器の保管期間をリセットする。また、このとき余った小束紙幣は、第１の貨幣管理装置２００Ａへ収納される。
【０１５３】
第１および第２の貨幣管理装置２００Ａ、２００Ｂのいずれから小束紙幣を取出すかは、第１の貨幣管理装置２００Ａが小束紙幣の収納数に基づいて自動で決定してもよい。代替的に、第１および第２の貨幣管理装置２００Ａ，２００Ｂのいずれから小束紙幣を取出すかは、操作者が任意に選択してもよい。
【０１５４】
第２の実施形態において、第１および第２の保管期間、第１および第２の残り期間および警告は、親機としての第１の貨幣管理装置２００Ａの表示部２２７に表示された。しかし、これらの表示は、出納機１００の表示部１５ａに表示させてもよい。
【０１５５】
第１および第２の実施形態において、表示部２２７に表示される管理期間、残り期間、警告等は、締上げ時に表示させてもよい。この場合、第１の貨幣管理装置２００Ａは、貨幣管理装置２００Ａ、２００Ｂに収納されている大束紙幣の金種および数のほかに、管理期間または残り期間を確認する。そして、管理期間が上限期間を超過している場合、あるいは、残り期間がゼロになっている場合、貨幣管理装置２００Ａ、２００Ｂは、図１２〜図１４あるいは図１６〜図１９に示すいずれかのフローを実行すればよい。
【符号の説明】
【０１５６】
１００  出納機
２００Ａ〜２００Ｃ  貨幣管理装置
３００、３０１  貨幣管理システム
１１  紙幣処理装置
Ｐ１  束紙幣処理部
Ｐ２  バラ紙幣処理部
１２  バラ硬貨処理装置
１３  包装硬貨処理装置
１４  現金外ボックス
１５  制御部
１５ａ  表示部
１５ｂ  ＩＤカードリーダ
１５ｃ  制御部
１５ｄ  ＲＯＭ
１５ｅ  ＲＡＭ
１５ｆ  フレキシブルディスクドライブ
１５ｇ  ハードディスクドライブ
１６  キーボード式入力部
１８  外部プリンタ
１９  通信インタフェース（通信ＩＦ）
２１１〜２１４  収納ドロア
２１５  予備収納庫
２１１ｍ〜２１５ｍ  開閉電磁ロック
２２１〜２２４  紙幣保管容器
２４１〜２４３  硬貨保管容器
２６１  ロードセル
２２５  制御部
２２５ｄ  ＲＯＭ
２２５ｅ  ＲＡＭ
２２５ｇ  ハードディスクドライブ
２２５ｃ  制御部
２２６  キーボード式入力部
２２７  表示部
２２８  ＩＤカードリーダ
２２９  通信インタフェース（通信ＩＦ）
【図１】
0005778994.tif 000002
【図２】
0005778994.tif 000003
【図３】
0005778994.tif 000004
【図４】
0005778994.tif 000005
【図５】
0005778994.tif 000006
【図６】
0005778994.tif 000007
【図７】
0005778994.tif 000008
【図８】
0005778994.tif 000009
【図９】
0005778994.tif 000010
【図１０】
0005778994.tif 000011
【図１１】
0005778994.tif 000012
【図１２】
0005778994.tif 000013
【図１３】
0005778994.tif 000014
【図１４】
0005778994.tif 000015
【図１５】
0005778994.tif 000016
【図１６】
0005778994.tif 000017
【図１７】
0005778994.tif 000018
【図１８】
0005778994.tif 000019
【図１９】
0005778994.tif 000020
【図２０】
0005778994.tif 000021